(57)【要約】【課題】大出力の送風機を配備することなく、ユーザが利用可能なマイナスイオンの数が多いマイナスイオン発生装置を提供する。【解決手段】送入路４１内には、送入路４１内の風を上下に分離する平板状の分離壁がレナードカバー１７の通気口に対向配置してある。この分離壁の一端は送入路４１の他端開口の底部に接続してあり、分離壁の他端側は前記通気口より送入路４１の一端側であって、送入路４１の高さ方向の略中央の位置まで延設してある。この分離壁によってダクトから送入路４１内へ導入された風は分離され、その一部はバイパス路４２を経て送出路４３内へ導かれ、残余はレナードカバー１７の通気口からレナードファン２６及び気液分離器３０を経て送出路４３内へ導かれる。【選択図】　　図１
2004129895.tif 000002
【特許請求の範囲】
【請求項１】
液体を微細水滴化してマイナスイオンを生成するマイナスイオン生成機と、風を送る送風機と、該送風機からの風を前記マイナスイオン生成機へ送入する送入路と、マイナスイオン生成機に送入された風を送出する送出路とを備えるマイナスイオン発生装置において、
前記送入路と送出路との間に、前記マイナスイオン生成機を迂回するバイパス路が架設してあることを特徴とするマイナスイオン発生装置。
【請求項２】
液体を微細水滴化してマイナスイオンを生成するマイナスイオン生成機と、風を送る送風機と、該送風機からの風を前記マイナスイオン生成機へ送入する送入路と、マイナスイオン生成機に送入された風を送出する送出路とを備え、前記マイナスイオン生成機は、液体に遠心力を作用させて該液体を飛散させる回転体と、該回転体の周囲に配置してあり、回転体から飛散された液体を衝突させて微細水滴を生成させる衝壁とを具備するマイナスイオン発生装置において、
前記回転体は、液体に遠心力を作用させて飛散させる本体と、該本体の回転軸回りに適宜の間隔で複数の凸部を環状配置してなり、該本体から飛散された液体を各凸部で打撃する環列状打撃部とを具備し、複数の環列状打撃部が前記回転軸からの距離を異ならせて設けてあることを特徴とするマイナスイオン発生装置。
【請求項３】
相隣る各環列状打撃部は、凸部の周方向の位置を互いに異ならせてある請求項２記載のマイナスイオン発生装置。
【請求項４】
前記衝壁の前記環列状打撃部に対向する部分に、前記回転体の回転軸の軸長方向に突設した複数のリブが、前記回転軸回りに適宜の間隔で配置してある請求項２又は３記載のマイナスイオン発生装置。
【請求項５】
前記リブの間隔は前記環列状打撃部の凸部の間隔と異ならせてある請求項４記載のマイナスイオン発生装置。
【請求項６】
前記マイナスイオン生成機は、液体を蓄える液槽を具備し、前記回転体は、液槽内に、それに蓄えられた液体にその一部が浸漬する状態で回転可能に配置した倒立円錐台状の本体と、該本体の上端部から本体の回転軸と交わる方向へ突設させた第１フランジ部と、該第１フランジ部から延設してなり、第１フランジ部より本体の下端部側に位置する第２フランジ部とを具備し、両フランジ部に環列状打撃部がそれぞれ設けてある請求項２から５のいずれかに記載のマイナスイオン発生装置。
【請求項７】
請求項１記載のバイパス路、及び請求項２から６のいずれかに記載のマイナスイオン生成機を具備するマイナスイオン発生装置。
【発明の詳細な説明】
【０００１】
【発明の属する技術分野】
本発明は、レナード効果によりマイナスイオンを発生するマイナスイオン発生装置に関する。
【０００２】
【従来の技術】
電化製品等から放出されるプラスイオン又は静電気等によって人体は正電荷が帯電している場合が多く、かかる帯電をマイナスイオンによって中和することによって、リフレッシュ効果、更には健康増進効果が得られることが知られている。そのようなマイナスイオンを発生する装置として、水を微細化することによってプラスに帯電した水滴とマイナスに帯電した微細水滴とを生成し、マイナスに帯電した微細水滴を分離・送風する、所謂レナード式のマイナスイオン発生装置がある。
【０００３】
図８はレナード式の従来のマイナスイオン発生装置の内部構造を示す模式的斜視図であり、かかる装置は後記する特許文献１に開示されている。略直方体殻状の筐体１００の正面底部近傍には吸気口１０１が開設してあり、該吸気口１０１から取り込まれた外気は流通路によって、筐体１００内の一側がわの底部近傍に格納してある送風機１０２へ導入されるようになっている。
【０００４】
送風機１０２の上方には、倒立有底筒状の第１気液分離器１０４が配設してあり、該第１気液分離器１０４の上下端近傍の周面には、それぞれ開口が設けてある。第１気液分離器１０４の上側開口には送風機１０２から延設したダクト１０３が連結してあり、送風機１０２によって生起された風はダクト１０３を介して第１気液分離器１０４内へ、その内周面の略接線方向となるように導入される。また、第１気液分離器１０４の近傍には、上下端近傍にそれぞれ開口を設けてなる倒立有底筒状の第２気液分離器１０５が配設してあり、第１気液分離器１０４の下側開口と第２気液分離器１０５の下側開口とは連通筒１０６で連通させてある。
【０００５】
第１気液分離器１０４の天井には所定寸法の孔が開設してあり、該孔にはモータ１０７がその駆動軸を第１気液分離器１０４内へ突出する態様で嵌合固定してある。モータ１０７の駆動軸には略円盤状の回転体１０９が固定してあり、該回転体１０９の周囲は笠状のリング１１０で覆ってある。回転体１０９の上方には水を供給するための給水管１０８が第１気液分離器１０４の天井を貫通させて延設してあり、該給水管１０８から回転体１０９上に供給された水は、回転体１０９の上面全面に拡がり回転体１０９の回転による遠心力によって周囲に飛散され、前述したリング１１０に衝突してプラスに帯電した微細水滴となり周囲の空気をマイナスイオン化させる。
【０００６】
第１気液分離器１０４には前述した如く、送風機１０２に生起された風が渦巻き状に導入されており、これによって比較的大きな水滴は分離されて第１気液分離器１０４の内周壁に付着し、該内周壁をつたわってその下方へ落下する一方、微細水滴及びマイナスイオンを含む雰囲気は連通筒１０６を通って第２気液分離器１０５内の下端近傍へ導入される。
【０００７】
第２気液分離器１０５内へ導入された雰囲気は該第２気液分離器１０５内をその上方へ渦巻き状に上昇するが、この際に比較的小さな水滴が分離されて第２気液分離器１０５の内周壁に付着して該内周壁をつたわってその下方へ落下し、微細水滴及びマイナスイオンを含む湿った雰囲気が第２気液分離器１０５の上側開口へ導入される。筐体１００の正面上部には吹出し口が開設してあり、該吹出し口と第２気液分離器１０５の上側開口との間は吹出し路１１１で連結してある。そして、第２気液分離器１０５の上側開口へ導入された雰囲気は吹出し路１１１を介して吹出し口から吹出される。
【０００８】
筐体１００の底部近傍であって前述した送風機１０２とは反対側の側部近傍には、矩形の水槽１２０が配設してあり、水槽１２０の上方には該水槽１２０内へ水を供給するカートリッジタンク１２１が着脱自在に配設してある。水槽１２０とカートリッジタンク１２１との間には盆状の水受け部材１２５が介装してあり、該水受け部材１２５は前述した第１及び第２気液分離器１０４，１０５から落下した水滴を受けるべく、第２気液分離器１０５の下方及び第１気液分離器１０４と送風機１０２との間まで延設してある。水受け部材１２５の底部は、水槽１２０に対向する部分を低くしたテーパにしてあり、この低い部分に開口を設けて、第１及び第２気液分離器１０４，１０５から落下し、水受け部材１２５によって受けられた水が水槽１２０へ還流するようになっている。
【０００９】
水槽１２０内には図示しない給水ポンプの取水管が挿入してあり、給水ポンプの出水口には前述した給水管１０８が接続してある。また、水槽１２０の底部には排水ポンプ１２３が配設してあり、該排水ポンプ１２３によって水槽１２０内の水が排水されるようになっている。
【００１０】
このようなマイナスイオン発生装置にあっては、カートリッジタンク１２１によって水槽１２０内へ給水し、装置の運転を開始してから所定時間（例えば４８時間）経過した場合、運転を停止し、更には、排水ポンプ１２３によって水槽１２０内の水を排水し、又は筐体１００に設けた表示ランプ等によって運転の停止を促すようにしてある。このように、水槽１２０内の水を定期的に交換するようにしてあるため、水槽１２０内の水が外気又は微生物等により汚染されることが防止され、マイナスイオンを含む清浄で無臭な風が吹出し口から吹出される。
【００１１】
【特許文献１】
特開平１１−１９２０２号公報（図２）
【００１２】
【発明が解決しようとする課題】
しかしながら、このような従来のマイナスイオン発生装置にあっては、該マイナスイオン発生装置から任意距離を隔てた位置にいるユーザが利用可能なマイナスイオンの数が少ないという問題があった。これは次のような理由による。すなわち、発生したマイナスイオンは種々の寿命を有するため、その寿命内により多数のマイナスイオンをユーザまで到達させる必要があるが、従来のマイナスイオン発生装置では送風機１０２から第１気液分離器１０４、連通筒１０６及び第２気液分離器１０５並びに吹出し路１１１を通って吹出し口に至るまでの間の風路抵抗が大きいため、吹出し口における風速が遅く、寿命内にユーザまで到達するマイナスイオンの数が少ないことが挙げられる。
【００１３】
これに対し大出力の送風機を配備して、吹出し口における風速を早くすることが考えられるが、そのような送風機に要するコストが増大すると共に、大きなサイズの送風機を配備しなければならないため、マイナスイオン発生装置をコンパクトにすることができない。また、大出力の送風機では運転時の騒音が大きい。このように大出力の送風機を配備した場合には、新たな問題が生じる。
【００１４】
また他の理由としては、前述した従来のマイナスイオン発生装置では、給水ポンプにより回転体１０９へ給水し、回転体１０９の回転によって生じた遠心力が作用して飛散した飛散水をリング１１０に衝突させて微細水滴化することによりマイナスイオンを生成させているので、微細水滴の生成効率が低く、従ってマイナスイオンの発生数が少ないことが挙げられる。
【００１５】
本発明はかかる事情に鑑みてなされたものであって、その目的とするところは、大出力の送風機を配備することなく、ユーザが利用可能なマイナスイオンの数が多いマイナスイオン発生装置を提供することにある。
【００１６】
【課題を解決するための手段】
請求項１記載の発明は、液体を微細水滴化してマイナスイオンを生成するマイナスイオン生成機と、風を送る送風機と、該送風機からの風を前記マイナスイオン生成機へ送入する送入路と、マイナスイオン生成機に送入された風を送出する送出路とを備えるマイナスイオン発生装置において、前記送入路と送出路との間に、前記マイナスイオン生成機を迂回するバイパス路が架設してあることを特徴とする。
【００１７】
請求項２記載の発明は、液体を微細水滴化してマイナスイオンを生成するマイナスイオン生成機と、風を送る送風機と、該送風機からの風を前記マイナスイオン生成機へ送入する送入路と、マイナスイオン生成機に送入された風を送出する送出路とを備え、前記マイナスイオン生成機は、液体に遠心力を作用させて該液体を飛散させる回転体と、該回転体の周囲に配置してあり、回転体から飛散された液体を衝突させて微細水滴を生成させる衝壁とを具備するマイナスイオン発生装置において、前記回転体は、液体に遠心力を作用させて飛散させる本体と、該本体の回転軸回りに適宜の間隔で複数の凸部を環状配置してなり、該本体から飛散された液体を各凸部で打撃する環列状打撃部とを具備し、複数の環列状打撃部が前記回転軸からの距離を異ならせて設けてあることを特徴とする。
【００１８】
請求項３記載の発明は、相隣る各環列状打撃部は、凸部の周方向の位置を互いに異ならせてあることを特徴とする。
【００１９】
請求項４記載の発明は、前記衝壁の前記環列状打撃部に対向する部分に、前記回転体の回転軸の軸長方向に突設した複数のリブが、前記回転軸回りに適宜の間隔で配置してあることを特徴とする。
【００２０】
請求項５記載の発明は、前記リブの間隔は前記環列状打撃部の凸部の間隔と異ならせてあることを特徴とする。
【００２１】
請求項６記載の発明は、前記マイナスイオン生成機は、液体を蓄える液槽を具備し、前記回転体は、液槽内に、それに蓄えられた液体にその一部が浸漬する状態で回転可能に配置した倒立円錐台状の本体と、該本体の上端部から本体の回転軸と交わる方向へ突設させた第１フランジ部と、該第１フランジ部から延設してなり、第１フランジ部より本体の下端部側に位置する第２フランジ部とを具備し、両フランジ部に環列状打撃部がそれぞれ設けてあることを特徴とする。
【００２２】
請求項７記載の発明は、請求項１記載のバイパス路、及び請求項２から６のいずれかに記載のマイナスイオン生成機を具備することを特徴とする。
【００２３】
【発明の実施の形態】
本発明では、液体を微細水滴化してマイナスイオンを生成するマイナスイオン生成機へ、送風機からの風を送入する送入路と、マイナスイオン生成機に送入された風を送出する送出路との間に架設したバイパス路によって、送風機からマイナスイオン生成機へ送入される風の一部を、マイナスイオン生成機を経ずに直接、送出路へ導く。
【００２４】
図７は本発明に係るマイナスイオン発生装置の風路、及び従来のマイナスイオン発生装置の風路を説明する説明図であり、２００はマイナスイオン生成機である。（ｂ）に示したように、従来のマイナスイオン発生装置にあっては、マイナスイオン生成機２００に連通する送入路４１０によって、図示しない送風機からの風をマイナスイオン生成機２００へ送入させ、マイナスイオン生成機２００に送入された風は送出路４３０によって送出されるようになっている。このように従来のマイナスイオン発生装置では、送風機からの全ての風が、風路抵抗が強いマイナスイオン生成機２００に送入されるため、送出路４３０内の風速が低い。
【００２５】
一方、図７（ａ）に示したように、本発明に係るマイナスイオン発生装置にあっては、送入路４１０と送出路４３０との間にマイナスイオン生成機２００を迂回するバイパス路４２０が架設してある。従って、送風機によって生起された風の中のバイパス路４２０に導入された残りの部分は、マイナスイオン生成機２００へ送入され、該マイナスイオン生成機２００によって生成されたマイナスイオンは、この送入された風によって送出路４３０内へ移送される。一方、送出路４３０のバイパス路４２０が接続された部分より下流側には、その上流より流入する風に加えてバイパス路４２０からの風が流入するため、下流側は上流側より陽圧、即ち上流側は下流側より陰圧となり、この圧力差によっても、マイナスイオン生成機２００によって生成されたマイナスイオンが送出路４３０内へ移送される。
【００２６】
そして、送出路４３０内へ移送されたマイナスイオンは、主に、バイパス路４２０によって送出路４３０内に導入された風によってマイナスイオン生成機２００から外へ送出される。このとき、バイパス路４２０内の風路抵抗が低いため風速はさほど衰えることなく送出路４３０内へ導入され、これによってマイナスイオンは単位時間当たりより遠くまで到達することができる。従って、比較的小さな出力の送風機を配備した場合であっても、ユーザが利用可能なマイナスイオンの数が多い。
【００２７】
また、本発明に係るマイナスイオン生成機は、液体を微細水滴化してマイナスイオンを生成するマイナスイオン生成機が、液体に遠心力を作用させて該液体を飛散させる回転体と、回転体の周囲に配置してあり、回転体から飛散された液体を衝突させて微細水滴を生成させる衝壁とを備えるが、この回転体は、液体に遠心力を作用させて飛散させる本体を具備しており、該本体に複数の環列状打撃部が本体の回転軸からの距離を異ならせて設けてある。そして、環列状打撃部は、本体の回転軸回りに適宜の間隔で複数の凸部を環状配置してなり、本体から飛散された液体を各凸部で打撃する。従って、内側にある環列状打撃部によって打撃破砕されて生成した微細水滴を含む水滴が、外側にある環列状打撃部によって打撃破砕されて更に微細水滴が生成されるため、微細水滴の生成効率が高く、多数のマイナスイオンを生成することができる。
【００２８】
更に、本発明では、相隣る各環列状打撃部は、凸部の周方向の位置を互いに異ならせてあるため、内側にある環列状打撃部によって打撃破砕されて生成した微細水滴を含む水滴が、外側にある環列状打撃部によって打撃破砕される確率が高く、微細水滴及びマイナスイオンの生成効率が高い。
【００２９】
一方、本発明では、回転体の周囲に配置してある衝壁の環列状打撃部に対向する部分に、回転体の回転軸の軸長方向に突設した複数のリブが、回転軸回りに適宜の間隔で配置してあり、回転体から飛散された水滴は各リブ及び衝壁に衝突して微細水滴化する。このように複数のリブを突設することによって衝壁に凹凸が形成してあるため、滑面な衝壁に水滴が衝突する場合に比べて、高効率に微細水滴化することができる。
【００３０】
また、本発明では、前記リブの間隔が前記環列状打撃部の凸部の間隔と異ならせてあるため、鳴音の発生が抑制される。
【００３１】
更に、本発明では、マイナスイオン生成機は、液体を蓄える液槽内に、それに蓄えられた液体にその一部が浸漬する状態で倒立円錐台状の回転体の本体が回転可能に配置してあり、この本体には、その上端部から本体の回転軸と交わる方向へ突設させて第１フランジ部が設けてあり、更に第１フランジ部より本体の下端部側に位置する第２フランジ部が第１フランジ部から延設してある。そして、両フランジ部に環列状打撃部がそれぞれ設けてある。従って、回転体を一体成型することができ、回転体の製造・取付が容易である。
【００３２】
加えて、本発明では、前述したバイパス路、及び前述したいずれかのマイナスイオン生成機を備えるため、マイナスイオンの生成数を多くすると共に、単位時間内にマイナスイオンをより遠くへ到達させることができ、比較的小さな出力の送風機を配備した場合であっても、ユーザが利用可能なマイナスイオンの数を更に多くすることができる。
【００３３】
【実施例】
以下、本発明の内容を図面に基づいて詳述する。
図１はマイナスイオン発生装置を示す背面断面図であり、図２は図１に示した本発明に係るマイナスイオン発生装置の外観斜視図である。このマイナスイオン発生装置は、所謂レナード式のマイナスイオン生成機と、所謂放電式のマイナスイオン生成機とを筐体１内に格納してある。
【００３４】
筐体１は、四隅が丸みをおびた長方体殻の一長辺側である正面の中央に、底面視が台形殻状の帯状凸部５を、その高さ方向の略全領域に渡って設けた形状をしており、筐体１の正面側の二隅を含む適宜領域はそれぞれ縦長の開閉扉３，３にしてある。両開閉扉３，３には、その高さ方向へ開設した複数条の外気取入口４，４，…が横方向へ適宜の間隔で配置してあり、開閉扉３，３の背面には、外気中の比較的大きな塵を取り除くプレフィルタが、外気取入口４，４，…を塞ぐ態様で着脱自在に取り付けてある。
【００３５】
筐体１の底部側にはシロッコファン１１及びファンモータ１２を備える第１ファン１０が、筐体１の幅方向の略中央を正面から背面へ貫通する軸回りにシロッコファン１１が回転するように配設してあり、第１ファン１０は筐体１正面側に開口を設けてなるファンケース１３内に格納してある。ファンケース１３の開口はＵＬＰＡ等のフィルタで塞止してあり、このフィルタは枠状の押さえ部材１６によって着脱自在に支持されている。
【００３６】
第１ファン１０の上方には、筐体１の中央より少し筐体１の一側がわの位置から筐体１の他側近傍に渡る略矩形箱状の貯水槽１５が、第１ファン１０から所定距離を隔てて配設してある。第１ファン１０と貯水槽１５との間にはレナードモータ１８がその回転軸１９を上にして配置してあり、該回転軸１９は貯水槽１５の一側がわの底部を貫通して貯水槽１５内の所定高さまで突出させてある。
【００３７】
貯水槽１５内の回転軸１９には、倒立円錐台筒形状の本体２２内部の中心軸上に、上端を閉止してなる筒状の軸受け部２３を立設してなるレナードファン２６が、該軸受け部２３を回転軸１９に外嵌させた状態で固定してある。前記本体２２の外周面には該本体２２の下端から上端に渡る複数条の溝が周方向へ適宜の間隔で形成してある。本体２２の上端周縁には、後述する環状の第１フランジ部２５ａ及び環状の第２フランジ部２５ｂを階段状に設けてなるフランジ２５が突設してあり、第１フランジ部２５ａ及び第２フランジ部２５ｂにはそれぞれ、複数の第１打撃板２４ａ，２４ａ，…及び第２打撃板２４ｂ，２４ｂ，…が周方向へ所定の間隔で放射状に垂設してある。
【００３８】
貯水槽１５の開口は、レナードファン２６上に通気口を開設してなるレナードカバー１７で塞止してある。レナードカバー１７には、レナードファン２６の上部周面を囲む略筒状の衝壁部１７ａが垂設してあり、該衝壁部１７ａの内周面の前記レナードファン２６の第１打撃板２４ａ，２４ａ，…及び第２打撃板２４ｂ，２４ｂ，…に対向する部分には、後述する縦長の複数のリブ１７１，１７１，…が周方向へ所定の間隔で設けてある。また、レナードカバー１７の上面には、一端を該レナードカバー１７に開設した通気口に連通させ、他端をレナードカバー１７から少し延出させてなる送入路４１が設けてあり、該送入路４１の他端に、前述したファンケース１３から延設したダクト１４が連結してある。
【００３９】
一方、レナードカバー１７の前記通気口と異なる位置には、該通気口より大きい直径の開口が設けてあり、該開口には、竪型二重筒体内でサイクロン方式で気液分離を行う気液分離器３０が嵌合してある。
【００４０】
貯水槽１５にはレナードファン２６の略中央の高さまで水を注水するようにしてあり、レナードモータ１８の回転軸１９の駆動によりレナードファン２６が回転すると、貯水槽１５内の水がぬれ性によって、主に本体２２外周面の溝に沿って上昇し、フランジ２５の近傍で遠心力によって飛散し、それが第１打撃板２４ａ，２４ａ，…及び第２打撃板２４ｂ，２４ｂ，…によって打撃破砕されて一部が微細水滴になると共に、更に周囲の衝壁部１７ａの内周面及び各リブ１７１，１７１，…に衝突することによって、マイナスに帯電した微細水滴が高効率に生成される。
【００４１】
第１ファン１０によって生起された風はファンケース１３及びダクト１４を介してレナードカバー１７の通気口からレナードファン２６の周囲へ送られ、この送風によって、マイナスイオン及び微細水滴を含む雰囲気が気液分離器３０内へ導入される。そこで、水滴が除去されてマイナスイオンを含む湿った雰囲気が気液分離器３０の送出口３１から送出される。
【００４２】
筐体１の天井部分は、着脱式の上部カバー２にしてあり、該上部カバー２の筐体１の他側近傍であって、前記気液分離器３０の送出口３１に対向する部分には、給水口３５が設けてあり、給水口３５は開閉自在に設けた給水蓋３６で密閉してある。この給水口３５と気液分離器３０の送出口３１との間には、送出路４３の一部が介装してあり、送出路４３内へ導かれたマイナスイオンを含む雰囲気は、該送出路４３によって筐体１の正面上部へ誘導される。
【００４３】
なお、レナードファン２６を作動させることなく、第１ファン１０を作動させた場合、プレフィルタ及びフィルタによって粉塵等が濾過された清浄な空気が送風路４０に導入されるため、空気清浄機としても動作する。
【００４４】
筐体１の正面に設けた帯状凸部５の上端部を含む適宜の領域は、該上端部へ向かうに従ってその厚さが薄くなる平面視が略台形状のテーパ部５５にしてある。このテーパ部５５の上側半分の領域にはその幅寸法より少し短い幅寸法の長方形の第１吹出し口６１が開設してあり、第１吹出し口６１にはルーバが装着してある。
【００４５】
一方、筐体１内の貯水槽１５とは反対側である筐体１の一側近傍には、放電によりマイナスイオンを生成する柱状の放電器２１が配設してあり、放電器２１は上部カバー２の前記給水蓋３６と反対側の側部部近傍に設けた第２吹出し口６２に連結してある。また、放電器２１には第２ファン２０が連結してあり、放電器２１による放電で生成したマイナスイオンは、第２ファン２０からの送風によって第２吹出し口６２から送出される。
【００４６】
ところで、前述した帯状凸部５のテーパ部５５の下側半分の領域には、第１基盤に実装された複数の運転操作ボタン５６，５６，…、及び運転表示ランプ５９，５９，…等が配置してある。帯状凸部５のテーパ部５５近傍には正面視が矩形筒状の穴部５３が設けてあり、該穴部５３の奥部開口に透明な樹脂又はガラス等の透明塞止部材を嵌合固定して第１窓５１にしてある。また、穴部５３内の奥部天井には第１窓５１内へ青色光を出射するＬＥＤといった投光器が配設してある。
【００４７】
一方、貯水槽１５の第１窓５１に対向する部分には、第１窓５１と略同じ大きさの開口が設けてあり、該開口に透明な樹脂又はガラス等の透明塞止部材を嵌合固定して、第２窓にしてある。これら第１窓５１及び第２窓はレナードファン２６に対向する位置に設けてあり、投光器からの投光によって第１窓５１及び第２窓を介して、レナードファン２６の運転状態及び運転レベルを観察し得るようになっている。
【００４８】
ところで、前述した貯水槽１５の他側近傍の底部には排水口が開設してあり、該排水口には電磁弁４５を介装してなる配水管４６の一端が連結してある。この配水管４６の他端は、該配水管４６の下方に着脱自在に設置したタンク４７の上部に設けた給排水口に接合してある。また、貯水槽１５の周壁には縦長長方形状の開口が設けてあり、該開口には開口の内寸と略同じ外寸の水位検出器３７が固着してある。そして、水位検出器３７が貯水槽１５内の水のハイレベルを検出した場合、又は水位検出器３７がローレベルを検出してから所定時間（例えば２４時間）経過した場合、電磁弁４５が開放状態になって貯水槽１５内の水がタンク４７内へ排水されるようになっている。
【００４９】
一方、帯状凸部５の穴部５３の下縁近傍には、マイナスイオン発生装置の運転レベルを調整するボタンを含む複数の調節用ボタン６６，６６，…及び運転レベルを表示する運転レベル表示ランプ６７，６７，…等がそれぞれ配設してあり、これら調整用ボタン６６，６６，…及び運転レベル表示ランプ６７，６７，…等は第２基盤に実装してある。
【００５０】
図３は図１に示したレナードファン２６を示す拡大縦断面図であり、図４は図１に示したレナードファン２６を示す部分拡大底面図である。なお、両図中、図１に示した部分に対応する部分には同じ番号を付して一部説明を省略する。図３及び図４に示した如く、倒立円錐台筒形状の本体２２の上端縁には、本体２２の中心軸と直交する方向へ平坦な第１フランジ部２５ａを延出させてある。該第１フランジ部２５ａの周縁部に、第１フランジ部２５ａと平行をなす第２フランジ部２５ｂが連接部２５ｃを介して垂下してあり、第１フランジ部２５ａ、連接部２５ｃ及び第２フランジ部２５ｂによって部分断面視がクランク状の縁部が形成されている。
【００５１】
第１フランジ部２５ａの中途位置から連接部２５ｃを介して第２フランジ部２５ｂの中途位置に渡る部分には、側面視が略Ｌ字状の複数の第１打撃板２４ａ，２４ａ，…が本体２２の周方向へ所定の間隔で放射状に垂設してある。この第１打撃板２４ａ，２４ａ，…は適宜の間隔で設ければよいが、例えば５°にすることができる。
【００５２】
また、第２フランジ部２５ｂの中途からその外縁部に渡る部分には、側面視が略矩形状の複数の第２打撃板２４ｂ，２４ｂ，…が本体２２の周方向へ第１打撃板２４ａ，２４ａ，…と位置を異ならせて、所定の間隔で放射状に垂設してある。この第１打撃板２４ａ，２４ａ，…と第２打撃板２４ｂ，２４ｂ，…とのずれは適宜に設定することができるが、例えば、第１打撃板２４ａ，２４ａ，…に対して第２打撃板２４ｂ，２４ｂ，…を２．５°づつずらせることによって、相隣る２つの第１打撃板２４ａ，２４ａの間の中央に第２打撃板２４ｂを配置することができる。
【００５３】
なお、第１打撃板２４ａ，２４ａ，…と第２打撃板２４ｂ，２４ｂ，…とをランダムに配置させてもよい。また、環列状の第１打撃板２４ａ，２４ａ，…及び第２打撃板２４ｂ，２４ｂ，…を同心円上に配置してあるが、これに限らず、３つ以上の環列状の複数の打撃板を配置してもよい。
【００５４】
このように、レナードファンに第１打撃板２４ａ，２４ａ，…及び第２打撃板２４ｂ，２４ｂ，…が設けてあるため、第１打撃板２４ａ，２４ａ，…によって打撃破砕されて生成した微細水滴を含む水滴が、第２打撃板２４ｂ，２４ｂ，…によって打撃破砕されて更に微細水滴が生成されるため、微細水滴の生成効率が高く、多数のマイナスイオンを生成することができる。
【００５５】
図５は、図１に示したレナードカバー１７、レナードファン２６及び衝壁部１７ａを示す底面図である。図５に示した如く、レナードカバー１７のレナードファン２６に対向する部分には、レナードファン２６に設けた第１打撃板２４ａ，２４ａ，…及び第２打撃板２４ｂ，２４ｂ，…の周囲を取り囲むように略筒状の衝壁部１７ａが垂設してある。衝壁部１７ａの内周面には上下方向に突設した複数の棒状のリブ１７１，１７１，…が、周方向へ第１打撃板２４ａ，２４ａ，…又は第２打撃板２４ｂ，２４ｂ，…の間隔より狭い間隔で配置してあり、レナードファン２６から飛散した水滴は、衝壁部１７ａのリブ１７１，１７１，…及び衝壁部１７ａのリブ１７１，１７１，…とリブ１７１，１７１，…との谷間に衝突して、微細水滴が生成される。
【００５６】
このリブ１７１，１７１，…は、第１打撃板２４ａ，２４ａ，…又は第２打撃板２４ｂ，２４ｂ，…の間隔より狭い間隔であればよいが、第１打撃板２４ａ，２４ａ，…及び第２打撃板２４ｂ，２４ｂ，…が前述した間隔である場合は、例えば、２．６°にすることができる。
【００５７】
このように複数のリブ１７１，１７１，…を突設することによって衝壁部１７ａの内周面に凹凸が形成してあるため、内周面が滑面な衝壁部に水滴が衝突する場合に比べて、高効率に微細水滴化することができる。
【００５８】
図６は、図１に示したマイナスイオン発生装置におけるマイナスイオン搬送用の風路を示す部分分解斜視図であり、図中、１７はレナードカバーである。なお、図中、図１に示した部分に対応する部分には同じ番号を付してその説明の一部を省略する。平面視が略小判形状のレナードカバー１７の一側近傍には通気口が開設してあり、レナードカバー１７の上面から略矩形筒状の送入路４１が、その一端を前記通気口を取り囲む態様で延設してある。送入路４１のレナードカバー１７から延出させた一端は塞止してあり、送入路４１の塞止した一端近傍の底面には、ダクト１４（図１参照）を連結する連結口が開設してある。送入路４１の他端はバイパス路４２を構成する雄部４２ａにしてあり、送入路４１の他端近傍の底面には、レナードカバー１７の通気口に連通する送入口が開設してある。
【００５９】
レナードカバー１７上には略盆状の送出路４３底部が配置してあり、該送出路４３底部は、先頭部分を矩形開口とした平面視が略勾玉形状をしている。送出路４３底部の玉形状部分には開口が設けてあり、該送出路４３底部の背面の前記開口の周囲に垂設した筒部を、レナードカバー１７の上面に立設した筒部に嵌合させることによって気液分離器３０が形成される。
【００６０】
送出路４３底部の側壁であって前述したバイパス路４２の雄部４２ａに対向する部分には、矩形の切欠きが設けてある。前記側壁の内面であって切欠きの周囲に、矩形筒状のバイパス路４２の雌部４２ｂの一端が接続してあり、該雌部４２ｂ他端は前述した矩形開口の略中央の位置まで延設してある。この雌部４２ｂに前述した雄部４２ａを嵌合させることによって、バイパス路４２が形成される。一方、送出路４３底部にこれと相似形の盆状蓋である上部（図示せず）を嵌着させることによって、送出路４３が形成されるようになっている。
【００６１】
ところで、送入路４１内には、送入路４１内の風を上下に分離する平板状の分離壁４２ｃがレナードカバー１７の通気口に対向配置してある。この分離壁４２ｃの一端は送入路４１の他端開口の底部に接続してあり、分離壁４２ｃの他端側は前記通気口より送入路４１の一端側であって、送入路４１の高さ方向の略中央の位置まで延設してある。この分離壁４２ｃによってダクト１４（図１参照）から送入路４１内へ導入された風は分離され、その一部はバイパス路４２を経て送出路４３内へ導かれ、残余はレナードカバー１７の通気口から前述したレナードファン２６（図１参照）及び気液分離器３０を経て送出路４３内へ導かれる。
【００６２】
従って、レナードファン２６及び気液分離器３０を経て送出路４３内へ導かれたマイナスイオンは、主に、バイパス路４２によって送出路４３内に導入された風によってマイナスイオン発生装置から外へ送出される。このとき、バイパス路４２内の風路抵抗が低いため風速はさほど衰えることなく送出路４３内へ導入され、これによってマイナスイオンは単位時間当たりより遠くまで到達することができる。従って、比較的小さな出力の送風機を配備した場合であっても、ユーザが利用可能なマイナスイオンの数が多い
【００６３】
【発明の効果】
請求項１記載の発明によれば、液体を微細水滴化してマイナスイオンを生成するマイナスイオン生成機と、風を送る送風機と、該送風機からの風を前記マイナスイオン生成機へ送入する送入路と、マイナスイオン生成機に送入された風を送出する送出路とを備えるマイナスイオン発生装置において、前記送入路と送出路との間に、前記マイナスイオン生成機を迂回するバイパス路が架設してあるため、イナスイオン生成機によって生成されたマイナスイオンは、主に、バイパス路によって送出路内に導入された風によってマイナスイオン発生装置から外へ送出されるが、このとき、バイパス路内の風路抵抗が低いため風速はさほど衰えることなく送出路内へ導入され、これによってマイナスイオンは単位時間当たりより遠くまで到達することができ、従って、比較的小さな出力の送風機を配備した場合であっても、ユーザが利用可能なマイナスイオンの数が多い。
【００６４】
また、請求項２記載の発明によれば、液体を微細水滴化してマイナスイオンを生成するマイナスイオン生成機と、風を送る送風機と、該送風機からの風を前記マイナスイオン生成機へ送入する送入路と、マイナスイオン生成機に送入された風を送出する送出路とを備え、前記マイナスイオン生成機は、液体に遠心力を作用させて該液体を飛散させる回転体と、該回転体の周囲に配置してあり、回転体から飛散された液体を衝突させて微細水滴を生成させる衝壁とを具備するマイナスイオン発生装置において、前記回転体は、液体に遠心力を作用させて飛散させる本体と、該本体の回転軸回りに適宜の間隔で複数の凸部を環状配置してなり、該本体から飛散された液体を各凸部で打撃する環列状打撃部とを具備し、複数の環列状打撃部が前記回転軸からの距離を異ならせて設けてあるため、内側にある環列状打撃部によって打撃破砕されて生成した微細水滴を含む水滴が、外側にある環列状打撃部によって打撃破砕されて更に微細水滴が生成されるため、微細水滴の生成効率が高く、多数のマイナスイオンを生成することができる。
【００６５】
請求項３記載の発明によれば、相隣る各環列状打撃部は、凸部の周方向の位置を互いに異ならせてあるため、内側にある環列状打撃部によって打撃破砕されて生成した微細水滴を含む水滴が、外側にある環列状打撃部によって打撃破砕される確率が高く、微細水滴及びマイナスイオンの生成効率が高い。
【００６６】
請求項４記載の発明によれば、前記衝壁の前記環列状打撃部に対向する部分に、前記回転体の回転軸の軸長方向に突設した複数のリブが、前記回転軸回りに適宜の間隔で配置してあるため、滑面な衝壁に水滴が衝突する場合に比べて、高効率に微細水滴化することができる。
【００６７】
請求項５記載の発明によれば、前記リブの間隔は前記環列状打撃部の凸部の間隔と異ならせてあるため、鳴音の発生が抑制される。
【００６８】
請求項６記載の発明によれば、前記マイナスイオン生成機は、液体を蓄える液槽を具備し、前記回転体は、液槽内に、それに蓄えられた液体にその一部が浸漬する状態で回転可能に配置した倒立円錐台状の本体と、該本体の上端部から本体の回転軸と交わる方向へ突設させた第１フランジ部と、該第１フランジ部から延設してなり、第１フランジ部より本体の下端部側に位置する第２フランジ部とを具備し、両フランジ部に環列状打撃部がそれぞれ設けてあるため、回転体を一体成型することができ、回転体の製造・取付が容易である。
【００６９】
請求項７記載の発明によれば、請求項１記載のバイパス路、及び請求項２から６のいずれかに記載のマイナスイオン生成機を具備するため、マイナスイオンの生成数を多くすると共に、単位時間内にマイナスイオンをより遠くへ到達させることができ、比較的小さな出力の送風機を配備した場合であっても、ユーザが利用可能なマイナスイオンの数を更に多くすることができる等、本発明は優れた効果を奏する。
【図面の簡単な説明】
【図１】本発明に係るマイナスイオン発生装置を示す背面図である。
【図２】図１に示したマイナスイオン発生装置の外観斜視図である。
【図３】図１に示したレナードファンを示す拡大縦断面図である。
【図４】図１に示したレナードファンを示す部分拡大底面図である。
【図５】図１に示したレナードカバー、レナードファン及び衝壁部を示す底面図である。
【図６】図１に示したマイナスイオン発生装置におけるマイナスイオン搬送用の風路を示す部分分解斜視図である。
【図７】本発明に係るマイナスイオン発生装置の風路、及び従来のマイナスイオン発生装置の風路を説明する説明図である。
【図８】レナード式の従来のマイナスイオン発生装置の内部構造を示す模式的斜視図である。
【符号の説明】
５　　　帯状凸部
１４　　ダクト
１５　　貯水槽
１７　　レナードカバー
１７ａ　衝壁部
２２　　本体
２４ａ　第１打撃板
２４ｂ　第２打撃板
２５　　フランジ
２５ａ　第１フランジ
２５ｂ　第２フランジ
２６　　レナードファン
３０　　気液分離器
３５　　給水口
４１　　送入路
４２　　バイパス路
４２ａ　雄部
４２ｂ　雌部
４２ｃ　分離壁
４３　　送出路
４５　　電磁弁
１７１　リブ
【図１】
2004129895.tif 000003
【図２】
2004129895.tif 000004
【図３】
2004129895.tif 000005
【図４】
2004129895.tif 000006
【図５】
2004129895.tif 000007
【図６】
2004129895.tif 000008
【図７】
2004129895.tif 000009
【図８】
2004129895.tif 000010